(57)【要約】【課題】適切な配線経路、配線の長さを提示する。【解決手段】機器を配置する部屋に関する配置情報を蓄積部１４に蓄積しておき、配置情報、新たに配置する機器に関する情報を含む配置決定信号をもとに、配線経路の決定方法、配線の長さの計算方法を示したルール情報に従って配線の経路、配線の長さを計算して表示装置３に表示させる。これにより、ユーザは、新たな機器の配置位置等を指定するだけで、配線の経路、必要な配線の長さを知ることができる。【選択図】図１
2013020534.tif 000002
【特許請求の範囲】
【請求項１】
入力手段による、新たに配置する機器の配置場所に関する配置決定情報を入力するステップと、
計算手段による、機器を配置する空間に関する配置情報を蓄積した蓄積手段から前記配置情報を読み出し、当該配置情報と前記配置決定情報をもとに、配線経路と配線長を計算するためのルール情報に従って配線情報を計算するステップと、
出力手段による、前記配線情報を出力するステップと、
を有することを特徴とする配線提示方法。
【請求項２】
機器を配置する空間に関する配置情報を蓄積した蓄積手段と、
新たに配置する機器の配置場所に関する配置決定情報を入力する入力手段と、
前記蓄積手段から前記配置情報を読み出し、当該配置情報と前記配置決定情報をもとに、配線経路と配線長を計算するためのルール情報に従って配線情報を計算する計算手段と、
前記配線情報を出力する出力手段と、
を有することを特徴とする配線提示装置。
【請求項３】
新たに配置する機器の配置場所に関する配置決定情報を入力する処理と、
機器を配置する空間に関する配置情報を蓄積した蓄積手段から前記配置情報を読み出し、当該配置情報と前記配置決定情報をもとに、配線経路と配線長を計算するためのルール情報に従って配線情報を計算する処理と、
前記配線情報を出力する処理と、
をコンピュータに実行させることを特徴とする配線提示プログラム。
【発明の詳細な説明】
【技術分野】
【０００１】
本発明は、配線経路、配線の長さを求める技術に関する。
【背景技術】
【０００２】
家庭において、様々な電化製品、ネットワーク製品が普及し、数も種類も非常に多く存在する。電化製品等は電源ケーブルやＬＡＮケーブルなどにより有線接続することで利用可能となる。多くの機器が存在することで配線もより複雑なものとなり、配線した結果美観を損ねてしまうことも少なくない。
【０００３】
このような中、美観を損ねない配線を可能にするため、光ファイバケーブルを接続した際に壁から光コネクタが突出しないように回転可能な光コネクタが存在する（特許文献１参照）。
【先行技術文献】
【特許文献】
【０００４】
【特許文献１】特開２００５−２５７９３７号公報
【発明の概要】
【発明が解決しようとする課題】
【０００５】
電化製品等を新たに配置する場合、部屋の中でどのように配線したらよいか、配線のためにどのくらいの長さのケーブルが必要なのかわからないという問題がある。ケーブル長が短い場合は電源アウトレットに接続することができず、ケーブル長が長すぎる場合はケーブルがあまり美観を損ねることになる。したがって、適切な配線を行うためには、配線作業を行う前に予め部屋の中の配線の経路や配線の長さについて検討する必要がある。そのためには、新たな機器の配置場所から壁までの距離などを測定した上で、様々な配線経路を考慮して適切な配線経路を決定し、ケーブル長を求める必要がある。
【０００６】
本発明は、上記に鑑みてなされたものであり、適切な配線経路、配線の長さを提示することを目的とする。
【課題を解決するための手段】
【０００７】
第１の本発明に係る配線提示方法は、入力手段による、新たに配置する機器の配置場所に関する配置決定情報を入力するステップと、計算手段による、機器を配置する空間に関する配置情報を蓄積した蓄積手段から前記配置情報を読み出し、当該配置情報と前記配置決定情報をもとに、配線経路と配線長を計算するためのルール情報に従って配線情報を計算するステップと、出力手段による、前記配線情報を出力するステップと、を有することを特徴とする。
【０００８】
第２の本発明に係る配線提示装置は、機器を配置する空間に関する配置情報を蓄積した蓄積手段と、新たに配置する機器の配置場所に関する配置決定情報を入力する入力手段と、前記蓄積手段から前記配置情報を読み出し、当該配置情報と前記配置決定情報をもとに、配線経路と配線長を計算するためのルール情報に従って配線情報を計算する計算手段と、前記配線情報を出力する出力手段と、を有することを特徴とする。
【０００９】
第３の本発明に係る配線提示プログラムは、新たに配置する機器の配置場所に関する配置決定情報を入力する処理と、機器を配置する空間に関する配置情報を蓄積した蓄積手段から前記配置情報を読み出し、当該配置情報と前記配置決定情報をもとに、配線経路と配線長を計算するためのルール情報に従って配線情報を計算する処理と、前記配線情報を出力する処理と、をコンピュータに実行させることを特徴とする。
【発明の効果】
【００１０】
本発明によれば、適切な配線経路、配線の長さを提示することができる。
【図面の簡単な説明】
【００１１】
【図１】本実施の形態における配線方法表示システムの構成を示す機能ブロック図である。
【図２】配置情報として蓄積される部屋の見取り図である。
【図３】（ａ）は家具の場所の情報、（ｂ）は電源アウトレットの場所の情報の例を示す図である。
【図４】本実施の形態における配線方法表示装置の処理の流れを示すフローチャートである。
【図５】配置情報を表示した例を示す図である。
【図６】求めた配線情報を表示した例を示す図である。
【図７】新たな機器を配置したときに配線情報を計算する様子を説明する図である。
【発明を実施するための形態】
【００１２】
以下、本発明の実施の形態について図面を用いて説明する。
【００１３】
図１は、本実施の形態における配線方法表示システムの構成を示す機能ブロック図である。同図に示す配線方法表示システムは、入力部１１、処理部１２、出力部１３、および蓄積部１４を有する配線方法表示装置１と、マウス、キーボード、タッチパネルあるいはソフトキーボードなどの入力装置２と、ディスプレイなどの表示装置３を備える。配線方法表示装置１は、ＰＣ（パーソナルコンピュータ）に組み込んでもよいし、専用の装置を用いてもよい。また、テレビに接続するＳＴＢ（セットトップボックス）やタッチパネル端末を用いてもよい。配線方法表示装置１が備える各部は、演算処理装置、記憶装置等を備えたコンピュータにより構成して、各部の処理がプログラムによって実行されるものとしてもよい。このプログラムは配線方法表示装置１が備える記憶装置に記憶されており、磁気ディスク、光ディスク、半導体メモリ等の記録媒体に記録することも、ネットワークを通して提供することも可能である。以下、各部について説明する。
【００１４】
入力部１１は、表示装置３の画面に表示されたボタン等が押下された際に入力装置２から各種信号を受信する。入力部１１が受信する信号には、配置情報要求信号、配置決定信号、および更新信号がある。配置情報要求信号は、処理の開始時に配置情報を蓄積部１４から読み出すことを要求する信号である。配置決定信号は、新たに配置する機器の配置が決定したことを示す信号であり、機器の置き場所（座標）、機器の接続対象である電源アウトレットの場所（電源ＩＤ）等の情報を含む。更新信号は、配置情報の更新を要求する信号である。
【００１５】
処理部１２は、入力部１１が受信した信号に応じた処理を行う。具体的には、配置情報要求信号を受信した場合は、蓄積部１４から配置情報を読み出して出力部１３に送信し、配置情報に基づく部屋の見取り図を表示装置３に表示させる。配置決定信号を受信した場合は、蓄積部１４から配線の経路、長さを計算するためのルール情報を読み出し、ルール情報、配置情報、および配置決定信号に含まれる情報に基づいて配線の経路、配線の長さを計算する。そして、計算した配線の経路、配線の長さなどを含む配線情報を出力部１３に送信して表示装置３に表示させる。更新信号を受信した場合は、配線情報に基づいて蓄積部１４の配置情報を更新する。
【００１６】
出力部１３は、処理部１２から配置情報、配線情報を受信して表示装置３に表示させる。
【００１７】
蓄積部１４は、家具の配置情報や電源アウトレットの場所などの情報を含む配置情報と、配線の経路を計算するときに利用するルール情報を蓄積する。
【００１８】
次に、蓄積部１４に蓄積される配置情報について説明する。図２は、配置情報として蓄積される部屋の見取り図であり、図３（ａ）は家具の場所、図３（ｂ）は電源アウトレットの場所の情報の例を示す図である。図２に示すように、配置情報は、部屋のどの位置にどのような家具が配置してあるのか、部屋のどの位置に電源アウトレットが存在するのか、といった機器を配置する空間に関する情報を有する。本実施の形態では、左下を部屋の原点とし、家具、電源アウトレットなどに座標を付与している。また、図３（ａ）に示すように、配置情報は、各家具について、下部に配線することができるか否か、電源やネットワークに接続されているか否かなどの情報を有する。さらに、図３（ｂ）に示すように、配置情報は、配線を接続する対象の各種アウトレットの配置してある高さ、位置などの情報を有する。
【００１９】
なお、配置情報を座標ではなく、長さなどで表してもよい。もちろん配置情報は２次元に限るものではなく、３次元で表現されていても良い。また、家具に関する情報についても、下部の通過の可否、電源、ネットワークの高さ以外にも、上部の通過可否等の項目を備えてもよい。
【００２０】
次に、本実施の形態における配線方法表示装置１の処理の流れを説明する。図４は、本実施の形態における配線方法表示装置の処理の流れを示すフローチャートである。
【００２１】
入力部１１が配置情報要求信号を受信すると、処理部１２が蓄積部１４から配置情報を読み出して、読み出した配置情報を出力部１３に送信して表示装置３に表示させる（ステップＳ１１）。図５に、表示装置３に配置情報を表示した例を示す。処理開始時は、同図に示す部屋の見取り図は表示されていない。同図の配置情報呼出ボタン１０１が押下されると配置情報要求信号が入力部１１に送信され、蓄積部１４から配置情報が読み出されて表示装置３に部屋の見取り図が表示される。
【００２２】
そして、入力部１１が入力装置２から新たに配置する機器の配置決定情報を入力する（ステップＳ１２）。ユーザは表示装置３に表示された部屋の見取り図を参照しながら、新たに配置する機器の置き場所、接続する電源アウトレットなどの情報を入力し、配置場所決定ボタン１０２を押下して配置場所を決定する。配置場所決定ボタン１０２が押下されると配置決定信号が入力部１１に送信される。
【００２３】
配置決定信号を受信すると、処理部１２が蓄積部１４からルール情報を読み出し、配置情報、配置決定信号に含まれる情報に基づいて配線の経路、配線の長さなどを含む配線情報を計算する（ステップＳ１３）。ルール情報および配線情報の算出については後述する。
【００２４】
出力部１３は、処理部１２が計算した配線情報を表示装置３に表示させる（ステップＳ１４）。図６に、配線情報を表示した例を示す。同図では、新たにＰＣ２００を配置したときの配線の長さ、配線の経路を示しており、配線２０１の経路、および１５０ｃｍの長さが必要なことが分かる。
【００２５】
入力部１１が配置決定信号を受信した場合は（ステップＳ１５のＹＥＳ）、ステップＳ１３に戻り、再度配線方法の計算を行う。ユーザは新たな機器の配線を確認した後、機器の配置位置、接続対象の電源アウトレットを入力し直して変更できる。
【００２６】
更新ボタン１０３が押下されて、入力部１１が更新信号を受信すると（ステップＳ１６のＹＥＳ）、処理部１２が計算した配線情報を蓄積部１４に蓄積された配置情報に追加して更新する（ステップＳ１７）。ここで、蓄積部１４に蓄積された配置情報に新たに設置した機器の情報を追加する。
【００２７】
なお、本実施の形態では、ユーザは、新たに配置する機器の配置位置、接続対象の電源アウトレットを指定したが、接続対象の電源アウトレットを指定せず、配線情報中の全ての電源アウトレットについて経路を求めてもよい。また、配線経路の経由点として座標を指定できるようにしてもよい。
【００２８】
次に、配線情報の算出について説明する。本実施の形態におけるルール情報の例を表１に示す。
【表１】
2013020534.tif 000003
【００２９】
この例では、ルール１とルール２が記載されている。ルール１は、新たに配置する機器から４方向の壁までの距離を計算するものである。ルール２（２−１〜２−３）は、配線を壁に対して垂直に延ばした後、壁に沿って配線する時のケーブル長を計算するものである。まず、ルール１によって対象機器から壁までの距離を計算し、ルール２によって必要な配線の長さを求める。以下、図７を用いて具体的に説明する。
【００３０】
図７は、新たな機器を配置したときに配線情報を計算する様子を説明する図である。同図では、座標（２５，３５）に新たな機器を配置した。
【００３１】
まず、ルール１により、新たな機器から４方向の各壁までの距離ａ〜ｄを計算する。図７に示す例では、ａ＝２５，ｂ＝７５，ｃ＝１５，ｄ＝２５となる。また、接続対象の電源アウトレットから壁までの距離ｅ，ｆはｅ＝５，ｆ＝４５となる。
【００３２】
続いて、ルール２−１により、配線を各壁に対して垂直に延ばした後、壁に沿って時計回り、反時計回りで配線するときの距離１〜８を計算する。例えば、図７のｂの方向に配線を延ばして反時計回りで壁に沿う場合の距離は、ｂ＋ｃ＋ｂ＋ａ＋ｅで計算できる。また、ｂの方向に配線を延ばして時計回りで壁に沿う場合の距離はｂ＋ｄ＋ｂ＋ａ＋ｆで計算できる。
【００３３】
そして、ルール２−２により、ルール２−１で計算した距離１〜８を短い順に並び替える。この並びをオススメ順とする。
【００３４】
さらに、ルール２−３により、配置情報に含まれる電源アウトレットの高さと配置決定信号に含まれる機器の高さをルール２−１で計算した各距離１〜８に加えて、各配線の経路において必要な配線の長さとする。
【００３５】
このように求めた配線の経路、長さをオススメ順に提示してもよいし、全ての経路を提示してもよい。
【００３６】
なお、ルール情報はこれに限るものではない。例えば、配線のオススメ順として配線の長さを決定要因としているが、壁に沿っていない部分の配線の長さを決定要因としても良い。もしくは、壁や家具などに沿わず、ケーブルが露出している部分の短さを決定要因としてもよい。さらに、機器から電源アウトレットまで直線的に配線するルールを用いてもよい。
【００３７】
以上説明したように、本実施の形態によれば、機器を配置する部屋に関する配置情報を蓄積部１４に蓄積しておき、配置情報、新たに配置する機器に関する情報を含む配置決定信号をもとに、配線経路の決定方法、配線の長さの計算方法を示したルール情報に従って配線の経路、配線の長さを計算して表示装置３に表示させることで、ユーザは、新たな機器の配置位置等を指定するだけで、配線の経路、必要な配線の長さを知ることができる。その結果、ユーザは新たな機器の配置場所から壁までの距離などを測定することなく、適切な配線経路、必要な配線の長さを知ることが可能であり、配線作業の負担を軽くすることができる。本発明は、電源ケーブルに限らず、通信ケーブルについても同様に適用可能である。
【符号の説明】
【００３８】
１…配線方法表示装置
１１…入力部
１２…処理部
１３…出力部
１４…蓄積部
２…入力装置
３…表示装置
【図１】
2013020534.tif 000004
【図２】
2013020534.tif 000005
【図３】
2013020534.tif 000006
【図４】
2013020534.tif 000007
【図５】
2013020534.tif 000008
【図６】
2013020534.tif 000009
【図７】
2013020534.tif 000010